(57)【要約】【課題】カバー部材部分の構成を複雑にすることなく、運用時に広い視野を確保することができる、飛しょう体を提供すること。【解決手段】飛しょう体は、円筒状の胴体部と、前記胴体部の先端に結合し、前方に向かうほど径が縮小する形状を有する、先頭部と、前記先頭部の内部に配置されたシーカドームと、前記シーカドームを保護し、運用時に離脱する、カバー部材とを具備する。前記先頭部は、前記胴体部の中心軸に対して傾斜する第１傾斜面が形成され、前記第１傾斜面の前方側が覆われないように、切り欠かかれている。前記シーカドームは、前記第１傾斜面において前方を向くように配置されている。前記カバー部材は、前記先頭部において切り欠かれた部分を被覆するように配置され、前記第１傾斜面の縁部分において前記先頭部に支持されている。【選択図】図３Ａ
2012202677.tif 000002
【特許請求の範囲】
【請求項１】
円筒状の胴体部と、
前記胴体部の先端に結合し、前方に向かうほど径が縮小する形状を有する、先頭部と、
前記先頭部の内部に配置されたシーカドームと、
前記シーカドームを保護し、運用時に離脱する、カバー部材と、
を具備し、
前記先頭部は、前記胴体部の中心軸に対して傾斜する第１傾斜面が形成され、前記第１傾斜面の前方側が覆われないように、切り欠かかれており、
前記シーカドームは、前記第１傾斜面において前方を向くように配置されており、
前記カバー部材は、前記先頭部において切り欠かれた部分を被覆するように配置され、前記第１傾斜面の縁部分において前記先頭部に支持されている
飛しょう体。
【請求項２】
請求項１に記載された飛しょう体であって、
前記カバー部材は、前記第１傾斜面の縁部分及び前記胴体部の一部において前記先頭部に支持されている
飛しょう体。
【請求項３】
円筒状の胴体部と、
前記胴体部の先端に結合し、前方に向かうほど径が縮小する形状を有する、先頭部と、
前記先頭部の内部に配置されたシーカドームと、
前記シーカドームを保護し、運用時に離脱する、カバー部材と、
を具備し、
前記先頭部は、それぞれ、前記胴体部の中心軸に対して傾斜する第１傾斜面及び第２傾斜面が形成され、前記第１傾斜面の前方側が覆われないように、切り欠かかれており、
前記第１傾斜面及び前記第２傾斜面は、側方から見た場合に、前記第１傾斜面が上方後端側に位置し、前記第２傾斜面が下方前方側に位置するように、形成されており、
側方から見た場合に、前記第２傾斜面の後端は、前記第１傾斜面の前端に結合しており、
前記シーカドームは、前記第１傾斜面において前方を向くように配置されており、
前記第１傾斜面及び前記第２傾斜面は、それぞれ、前方側ほど下方に位置するように、形成されており、
前記カバー部材は、前記先頭部において切り欠かれた部分を被覆するように配置され、前記第１傾斜面の縁部分と前記第２傾斜面の縁部分において前記先頭部に支持されている
飛しょう体。
【請求項４】
請求項３に記載された飛しょう体であって、
前記カバー部材は、前記第１傾斜面と前記第２傾斜面の縁部分及び前記胴体部の一部、または、前記第２傾斜面の縁部分及び前記胴体部の一部において、前記先頭部に支持されている
飛しょう体。
【発明の詳細な説明】
【技術分野】
【０００１】
本発明は、飛しょう体に関する。
【背景技術】
【０００２】
空中を飛しょうし、目標物を追尾する飛しょう体が知られている。そのような飛しょう体には、先頭部分に、赤外線シーカが設けられる。赤外線シーカにより、目標物が発する赤外線が検出され、検出結果に基づいて目標物の位置が特定され、飛しょう体の進路が制御される。
【０００３】
飛しょう体には、赤外線シーカを保護するために、シーカドームが設けられる。シーカドームは、赤外線を透過する部材により形成される。更に、シーカドームを空力加熱等から保護するために、カバー部材が設けられる。運用時には、カバー部材が飛しょう体から分離され、赤外線シーカにより、目標物が発する赤外線が検出される。
【０００４】
シーカドーム用カバーに関連する技術が、特許文献１（実開昭６３−１１６７９９号公報）に記載されている。特許文献１には、光学追尾式誘導飛しょう体の頭部光学ドームを保護する誘導飛しょう体用ドームカバーにおいて、ドームカバーをミサイルから離脱させ所定距離を飛しょうさせるロケット推進機関と赤外線あるいは電波等の目標源とこの目標源を作動させる電源を備え、指令によりロケット推進機関と目標源を作動させるように構成したことを特徴とする誘導飛しょう体用ドームカバーが開示されている。
【先行技術文献】
【特許文献】
【０００５】
【特許文献１】実開昭６３−１１６７９９号公報
【発明の概要】
【発明が解決しようとする課題】
【０００６】
シーカドーム用カバーに対しては、運用時に速やかに分離されることが要求される。また、運用時においては、シーカの視野が十分に確保されることが望まれる。シーカドーム用カバーとして、２つのカバー部材を有する構成を採用することが考えられる。図１Ａは、そのような飛しょう体の先頭部分の構成の一例を示す概略図である。図１Ａに示される例において、飛しょう体は、本体１００、シーカ検知器１０４、シーカドーム１０１、及びカバー部材１０２（１０２−１、１０２−２）を備えている。本体１００は、円筒状である。シーカ検知器１０４は、赤外線を検出する機能を有しており、本体１００の内部における先頭部分において、前方（正面）を向くように配置されている。シーカドーム１０１は、シーカ検知器１０４を保護するために設けられており、本体１００の先端面に配置されている。本体１００の先端面は、本体１００の中心軸に対して垂直になるように形成されている。カバー部材１０２は、シーカドーム１０１を保護するために設けられている。本体１００は、高速で飛しょうするため、シーカドーム１０１が露出していると、空力加熱などにより、シーカドーム１０１が破損してしまうことがある。カバー部材１０２を設けることにより、空力加熱等によるシーカドーム１０１の破損が防止される。図１Ａに示される例では、カバー部材１０２は、前方に向かうほど径が小さくなるような外径を有している。カバー部材１０２は、後端部において、本体１００の先端部と接しており、図示しない止め具などによって本体１００に連結されている。また、カバー部材１０２は、本体１００の中心軸を通る平面によって２つのカバー部材（１０２−１、１０２−２）に分割されている。
【０００７】
図１Ｂは、運用時における飛しょう体を示す概略図である。運用時においては、カバー部材１０２が本体１００から分離される。シーカ検知器１０４は正面を向くように配置されているため、広い視野１０３を確保することが可能である。尚、カバー部材１０２が一つの部材で構成される場合には、カバー部材１０２がシーカドーム１０１の正面に留まりやすくなり、カバー部材１０２を速やかに分離することが困難になる。
【０００８】
しかしながら、図１Ａ及び図１Ｂに示される例では、２つのカバー部材１０２（１０２−１、１０２−２）を本体１００から均等に離脱させるために、複雑な機構を設けなければならない、という問題点があった。
【０００９】
一方、簡単な構成でカバー部材１０２を離脱させることができるようにするため、シーカドーム１０１を本体１００の側面上に取り付けることが考えられる。図２Ａは、そのような飛しょう体の先頭部分の構成の一例を示す概略図である。図２Ａに示される例では、シーカドーム１０１が、本体１００の側面上に配置されている。カバー部材１０２も、シーカドーム１０１を覆うように、本体１００の側面上に配置されている。図２Ｂは、運用時における飛しょう体を示す概略図である。図２Ｂに示されるように、運用時には、カバー部材１０２が本体１００から離脱させられる。この例の場合、カバー部材１０２を１つの部材によって構成することができるため、図１Ａ及び図１Ｂに示した例とは異なり、複雑な機構を設ける必要はない。しかしながら、図２Ａ及び図２Ｂに示される例では、シーカドーム１０１が本体１００の側面上に配置されているため、視野１０３を十分に確保することができない、という問題点があった。
【００１０】
従って、本発明の課題は、カバー部材部分における構成が複雑化することなく、運用時に広い視野を確保することができる、飛しょう体を提供することにある。
【課題を解決するための手段】
【００１１】
本発明に係る飛しょう体は、円筒状の胴体部と、前記胴体部の先端に結合し、前方に向かうほど径が縮小する形状を有する、先頭部と、前記先頭部の内部に配置されたシーカドームと、前記シーカドームを保護し、運用時に離脱する、カバー部材とを具備する。前記先頭部は、前記胴体部の中心軸に対して傾斜する第１傾斜面が形成され、前記第１傾斜面の前方側が覆われないように、切り欠かかれている。前記シーカドームは、前記第１傾斜面において前方を向くように配置されている。前記カバー部材は、前記先頭部において切り欠かれた部分を被覆するように配置され、前記第１傾斜面の縁部分において前記先頭部に支持されている。
【００１２】
本発明によれば、カバー部材が、第１傾斜面の縁部分において、先頭部に支持されている。第１傾斜面は、胴体部の中心軸に対して傾斜している。従って、カバー部材部分に複雑な構成を採用することなく、運用時において、飛しょう体からスムーズにカバー部材を離脱させることができる。また、シーカドームは、第１傾斜面において前方を向くように配置されており、第１傾斜面の前方側には覆うものが配置されていない。そのため、運用時において、広い視野を確保することができる。すなわち、カバー部材部分における構成が複雑化することなく、運用時において広い視野を確保することができる。
【発明の効果】
【００１３】
従って、本発明によれば、カバー部材部分における構成を複雑にすることなく、運用時に広い視野を確保することができる、飛しょう体が提供される。
【図面の簡単な説明】
【００１４】
【図１Ａ】飛しょう体の先頭部分の構成の一例を示す概略図である。
【図１Ｂ】運用時における飛しょう体を示す概略図である。
【図２Ａ】飛しょう体の先頭部分の構成の他の一例を示す概略図である。
【図２Ｂ】運用時における飛しょう体を示す概略図である。
【図３Ａ】第１の実施形態に係る飛しょう体を示す概略図である
【図３Ｂ】運用時における飛しょう体の構造を概略的に示す図である。
【図４Ａ】第２の実施形態に係る飛しょう体を側方から見たときの図である。
【図４Ｂ】第２の実施形態に係る飛しょう体の運用時における構成を示す概略図である。
【発明を実施するための形態】
【００１５】
以下に、図面を参照しつつ、本発明の実施形態について説明する。
【００１６】
（第１の実施形態）
図３Ａは、本実施形態に係る飛しょう体１を示す概略図である。図３Ａには、飛しょう体１の先頭部分を側方から見たときの図が示されている。図３Ａに示されるように、飛しょう体１は、胴体部２、先頭部３、シーカ検知器１０、シーカドーム８、及びカバー部材５を備えている。
【００１７】
胴体部２は、円筒状である。胴体部２内には、図示しない推進機構が設けられている。推進機構により、飛しょう体１は、高度１０ｋｍ〜５０ｋｍを飛しょうすることが可能となっている。図３Ａには、胴体部２の中心軸ｃが描かれている。また、図３Ａにおいては、中心軸ｃと直交する方向が、上下方向として示されている。
【００１８】
先頭部３は、胴体部２の先端（前方側端部）に結合しており、前方に向かうほど径が縮小するような形状を有している。本実施形態では、説明の便宜上、先頭部３と胴体部２とを区別して記載するが、実際には、胴体部２と先頭部３とは一体に形成されている。
【００１９】
図３Ａに示されるように、先頭部３の一部は、第１傾斜面６及び第２傾斜面７が形成されるように、切り欠かれている。第１傾斜面６及び第２傾斜面７は、それぞれ、中心軸ｃに対して傾斜している。図３Ａに示されるように、第１傾斜面６及び第２傾斜面７は、それぞれ、側方から見た場合に、前方側ほど下方に位置するように、形成されている。第２傾斜面７の後端は、第１傾斜面６の前端に結合している。第１傾斜面６と中心軸ｃとが成す角度αは、第２傾斜面７が中心軸ｃと成す角度βよりも、大きい。先頭部３は、第１傾斜面６の前方側の領域が先頭部３によって覆われないように、切り欠かれている。
【００２０】
シーカドーム８は、シーカ検知器１０を保護するために設けられており、第１傾斜面６において前方を向くように取り付けられている。シーカドーム８は、赤外線を透過させることの可能な材料により構成され、例えば、ガラス部材などにより構成される。シーカ検知器１０は、運用時において目標物が発する赤外線などの電波を検出するために設けられており、シーカドーム８によって保護されている。シーカ検知器１０は、胴体２及び先頭部３の内部に配置されており、第１傾斜面６から前方を向くように配置されている。
【００２１】
カバー部材５は、シーカドーム８を保護するために設けられている。カバー部材５は、運用時に分離される。カバー部材５は、先頭部３において切り欠かれた部分に対応する形状を有しており、その切り欠かれた部分を被覆している。すなわち、カバー部材５及び先頭部３は、全体として、中心軸ｃを中心とする円筒状であり、前方側ほど径が小さくなるような形状を有している。また、カバー部材５は、第１傾斜面６及び第２傾斜面７に対応する形状を有している。カバー部材５は、第１傾斜面６及び第２傾斜面７の縁部分において、先頭部３に接している。カバー部材５は、図示しない止具などにより、先頭部３に支持されている。尚、カバー部材５は、胴体部２に設けられた支持機構によって支持されていてもよい。
【００２２】
本実施形態に係る飛しょう体１は、高度１０ｋｍ〜５０ｋｍにおいて運用され、目標物を追尾する。図３Ｂは、運用時における飛しょう体１の構造を概略的に示す図である。図３Ｂに示されるように、運用時においては、カバー部材５が、先頭部３から離脱させられる。カバー部材５を分離するための手法は特に限定されず、例えば、火薬などを爆発させることにより、カバー部材５を離脱させることができる。カバー部材５が離脱することにより、シーカドーム８が露出し、シーカ検知器１０によって目標物が発する赤外線を検出することが可能になる。シーカ検知器１０による検出結果により、目標物の位置が特定され、特定結果に基づいて、飛しょう体１の進路が制御される。
【００２３】
この際、本実施形態によれば、第１傾斜面６及び第２傾斜面７が形成されるように先頭部３が切り欠かれているので、切り欠かれた部分に配置されたカバー部材を、片側（上方）に離脱させることができる。カバー部材として、複数の部材を用いる必要がなく、カバー部材５を分離するために複雑な機構を採用する必要がない。
【００２４】
また、本実施形態では、シーカドーム８が第１傾斜面６に配置されており、第１傾斜面６の前方側の領域は先頭部３によって覆われていない。従って、シーカ検知器１０の視野として広い領域を確保することができる。すなわち、本実施形態によれば、カバー部材部分における構成を複雑にすることなく、運用時に広い視野を確保することが可能になる。
【００２５】
尚、本実施形態では、第１傾斜面６及び第２傾斜面７が設けられているため、一見、空気抵抗により、飛しょう体１を直進させることが難しくなると考えられる。しかしながら、本実施形態に係る飛しょう体１は、高度１０ｋｍ〜５０ｋｍにおいて運用される。このような高度においては、空気抵抗が非常に少ない。そのため、飛しょう体１の先頭部分の形状として、本実施形態のような形状を採用したとしても、飛しょう体１の進路を制御することが難しくなることはない。
【００２６】
（第２の実施形態）
続いて、第２の実施形態について説明する。図４Ａは、本実施形態に係る飛しょう体１を側方から見たときの図である。図４Ａに示されるように、本実施形態においては、先頭部３の端面の形状が変更されている。その他の点については、第１の実施形態と同様の構成を採用することができるので、詳細な説明は省略する。
【００２７】
図４Ａに示されるように、本実施形態においては、先頭部３が、第１傾斜面６のみが形成されるように、切り欠かれている。第１の実施形態と同様に、第１傾斜面６は、胴体部２の中心軸ｃに対して傾斜している。そして、カバー部材５は、第１傾斜面６の縁部に接している。第１の実施形態と同様に、カバー部材５及び先頭部６は、全体として、前方側ほど径が小さくなるような円筒形状を有している。
【００２８】
図４Ｂは、本実施形態に係る飛しょう体１の運用時における構成を示す概略図である。本実施形態のような構成を採用しても、第１の実施形態と同様に、カバー部材５を上方に離脱させることができる。また、第１の実施形態と同様に、シーカ検知器１０の視野として広い領域を確保することが可能である。
【符号の説明】
【００２９】
１  飛しょう体
２  胴体部
３  先頭部
５  カバー部材
６  第１傾斜面
７  第２傾斜面
８  シーカドーム
９  視野
１０  シーカ検知器
１００  本体
１０１  シーカドーム
１０２（１０２−１、１０２−２）  カバー部材
１０３  視野
１０４  シーカ検知器
【図１Ａ】
2012202677.tif 000003
【図１Ｂ】
2012202677.tif 000004
【図２Ａ】
2012202677.tif 000005
【図２Ｂ】
2012202677.tif 000006
【図３Ａ】
2012202677.tif 000007
【図３Ｂ】
2012202677.tif 000008
【図４Ａ】
2012202677.tif 000009
【図４Ｂ】
2012202677.tif 000010